(57)【要約】【課題】  本体に入力されている映像信号に基づく映像を３種類以上の記録媒体に記録でき、映像を記録している記録媒体に映像の記録が行えない記録不能状態となったときに、本体に入力されている映像信号に基づく映像を継続して記録する記録媒体をユーザが設定できるようにすることで、ユーザの使い勝手の向上を図った記録装置を提供する。【解決手段】  記録装置１は、映像および音声を記録媒体に記録しているときに、この記録媒体に対する映像および音声の記録が行えない記録不能状態になった場合には、映像および音声を別の記録媒体に記録するリレー動作を行うので、入力されているＡＶ信号に基づく映像および音声が途切れることなく記録できる。また、映像を継続して記録する記録媒体をユーザが任意に設定できるので、ユーザの使い勝手を向上させることができる。【選択図】  図１
2006134439.tif 000002
【特許請求の範囲】
【請求項１】
映像信号の入力を受け付ける映像信号入力受付手段と、
前記映像信号入力受付手段が受け付けている映像信号に基づく映像を記録媒体に記録する記録手段と、を備えた記録装置において、
前記記録手段は、ＤＶＤ、ハードディスク、ビデオカセットテープを含む３種類以上の記録媒体について、記録媒体の種類毎に映像を記録する種類別記録機能を有し、
映像を記録する記録媒体の種別を選択する種別選択手段と、
前記３種類以上の記録媒体について、優先順位を設定する優先順位設定手段と、を備え、
前記記録手段は、前記映像信号入力受付手段が受け付けている映像信号に基づく映像を、前記種別選択手段で選択されている種別の記録媒体に記録しているときに、この種別の記録媒体に対して映像を記録することができない記録不能状態になると、前記優先順位設定手段に設定されている優先順位が、この録画不能状態となった種別の記録媒体よりも１ランク下位に設定されている種別の記録媒体に映像を継続して記録する手段であり、
さらに、前記記録手段に対して、映像を記録している種別の記録媒体に対して映像を記録することができない記録不能状態になったときに、映像を別の種類の記録媒体に継続して記録するのを禁止する禁止手段を備えた記録装置。
【請求項２】
映像信号の入力を受け付ける映像信号入力受付手段と、
前記映像信号入力受付手段が受け付けている映像信号に基づく映像を記録媒体に記録する記録手段と、を備えた記録装置において、
前記記録手段は、３種類以上の記録媒体について、記録媒体の種類毎に映像を記録する種類別記録機能を有し、
映像を記録する記録媒体の種別を選択する種別選択手段と、
前記３種類以上の記録媒体について、優先順位を設定する優先順位設定手段と、を備え、
前記記録手段は、前記映像信号入力受付手段が受け付けている映像信号に基づく映像を、前記種別選択手段で選択されている種別の記録媒体に記録しているときに、この種別の記録媒体に対して映像を記録することができない記録不能状態になると、前記優先順位設定手段において設定されている優先順位に基づいて、映像を別の種類の記録媒体に継続して記録する手段である記録装置。
【請求項３】
前記記録手段は、映像を記録している種別の記録媒体に対して映像を記録することができない記録不能状態になると、前記優先順位設定手段に設定されている優先順位が、この録画不能状態となった種別の記録媒体よりも１ランク下位に設定されている種別の記録媒体に映像を記録する手段である請求項２に記載の記録装置。
【請求項４】
前記記録手段に対して、映像を記録している種別の記録媒体に対して映像を記録することができない記録不能状態になったときに、映像を別の種類の記録媒体に継続して記録するのを禁止する禁止手段を備えた請求項２または３に記載の記録装置。
【請求項５】
前記記録手段は、少なくともＤＶＤ、ハードディスク、ビデオカセットテープの３種類の記録媒体に対して、映像を記録する種類別記録機能を有している請求項２〜４のいずれかに記載の記録装置。
【発明の詳細な説明】
【技術分野】
【０００１】
この発明は、本体に入力されている映像信号に基づく映像をＤＶＤ、ハードディスク、ビデオカセットテープなどの３種類以上の記録媒体に記録する記録装置に関する。
【背景技術】
【０００２】
従来、本体に入力されている映像信号に基づく映像をＤＶＤ、ハードディスク、ビデオカセットテープ（以下、単にカセットと言う。）などの記録媒体に記録する記録装置が実用化され、一般に普及している。また、最近では、ＤＶＤとハードディスク、ＤＶＤとカセット等、映像を複数種類の記録媒体に記録することができる記録装置（所謂、複合機）も実用化されている。
【０００３】
また、特許文献１、２では、本体に入力されている映像信号に基づく映像を記録している記録媒体の空き容量が無くなると、本体に入力されている映像信号に基づく映像を別の記録媒体に継続して記録することで、本体に入力されている映像信号に基づく映像が途切れることなく記録できるようにすることが提案されている。
【特許文献１】特開２００４−１９９８００号公報
【特許文献２】特開２００３−１７９８６４号公報
【発明の開示】
【発明が解決しようとする課題】
【０００４】
しかしながら、本体に入力されている映像信号に基づく映像を３種類以上の記録媒体に記録することができる装置については、映像を記録している記録媒体の空き容量が無くなったときに、本体に入力されている映像信号に基づく映像を継続して記録する記録媒体をどの種類の記録媒体にするかについて考慮されていなかった。これは、従来の記録装置が映像を２種類の記録媒体に記録する装置であったことから、映像を記録している記録媒体の空き容量が無くなったときに、映像を継続して記録する記録媒体が必然的に決まるからである。
【０００５】
この発明の目的は、本体に入力されている映像信号に基づく映像を３種類以上の記録媒体に記録でき、映像を記録している記録媒体に映像の記録が行えない記録不能状態となったときに、本体に入力されている映像信号に基づく映像を継続して記録する記録媒体をユーザが設定できるようにすることで、ユーザの使い勝手の向上を図った記録装置を提供することにある。
【課題を解決するための手段】
【０００６】
この発明の記録装置は、上記課題を解決するために以下の構成を備えている。
（１）  映像信号の入力を受け付ける映像信号入力受付手段と、
前記映像信号入力受付手段が受け付けている映像信号に基づく映像を記録媒体に記録する記録手段と、を備えた記録装置において、
前記記録手段は、３種類以上の記録媒体について、記録媒体の種類毎に映像を記録する種類別記録機能を有し、
映像を記録する記録媒体の種別を選択する種別選択手段と、
前記３種類以上の記録媒体について、優先順位を設定する優先順位設定手段と、を備え、
前記記録手段は、前記映像信号入力受付手段が受け付けている映像信号に基づく映像を、前記種別選択手段で選択されている種別の記録媒体に記録しているときに、この種別の記録媒体に対して映像を記録することができない記録不能状態になると、前記優先順位設定手段において設定されている優先順位に基づいて、映像を別の種類の記録媒体に継続して記録する手段である。
【０００７】
この構成では、記録手段が有する種類別記録機能により、本体に入力されている映像信号に基づくを映像を３種類以上の記録媒体に記録することができる。記録媒体としては、例えば、ＤＶＤ、ハードディスク、ビデオカセットテープ等がある。種別選択手段において、本体に入力されている映像を記録する記録媒体を選択することができるので、ユーザが自分の都合に合わせて映像を記録する記録媒体を選ぶことができる。また、映像を記録媒体に記録しているときに、この記録媒体に対する映像の記録が行えない記録不能状態になると、優先順位設定手段により設定されている優先順位に基づいて、映像を別の記録媒体に記録するので、本体に入力されている映像信号に基づく映像が途切れることなく記録できる。また、映像を継続して記録する記録媒体をユーザが任意に設定できるので、ユーザの使い勝手を向上させることができる。
【０００８】
ここで言う記録不能状態とは、記録媒体の空き容量が無くなった場合だけでなく、記録媒体に映像を記録するハードウェアの破損、記録媒体自体の破損、さらには本体に記録媒体がセットされていない等の状態である。
【０００９】
（２）前記記録手段は、映像を記録している種別の記録媒体に対して映像を記録することができない記録不能状態になると、前記優先順位設定手段に設定されている優先順位が、この録画不能状態となった種別の記録媒体よりも１ランク下位に設定されている種別の記録媒体に映像を記録する手段である。
【００１０】
この構成では、映像を記録している記録媒体が記録不能状態になったときに、継続して映像を記録するのに使用したくない種類の記録媒体の優先順位を高くしておくことで、この種類の記録媒体に映像が記録されるのを防止できる。
【００１１】
（３）前記記録手段に対して、映像を記録している種別の記録媒体に対して映像を記録することができない記録不能状態になったときに、映像を別の種類の記録媒体に継続して記録するのを禁止する禁止手段を備えている。
【００１２】
この構成では、禁止手段において、映像を記録している記録媒体が記録不能状態になったときに、他の記録媒体に継続して映像を記録するのを禁止することができるので、他の記録媒体に継続して映像を記録したくないユーザの使い勝手を低下させることもない。
【発明の効果】
【００１３】
この発明によれば、ユーザが自分の都合に合わせて映像を記録する記録媒体を選ぶことができる。また、映像を記録媒体に記録しているときに、この記録媒体に対する映像の記録が行えない記録不能状態になると、ユーザが設定した優先順位に基づいて映像を継続して記録する記録媒体が選択されるので、ユーザの使い勝手を向上させることができる。
【発明を実施するための最良の形態】
【００１４】
以下、この発明の実施形態である記録装置について説明する。
【００１５】
図１は、この発明の実施形態である記録装置の主要部の構成を示すブロック図である。この実施形態の記録装置１は、本体の動作を制御する制御部２と、本体に対して入力されたＡＶ信号（映像信号および音声信号）を受け付ける入力部３と、入力部３に入力されたＡＶ信号に基づく映像および音声を記録媒体に記録する記録部４と、本体に対する入力操作を行う操作部５と、を備えている。入力部３は、アンテナで受信しているテレビ放送信号から選択されているチャンネルで放送されている番組にかかるテレビ放送信号（ＡＶ信号）を抽出するチューナや、他の装置から入力されたＡＶ信号を受け付ける外部入力部等を有している。記録部４は、ＤＶＤ２１に映像および音声を記録するＤＶＤ記録部１１と、ハードディスク２２に映像および音声を記録するハードディスク記録部１２と、ビデオカセットテープ２３（以下、単にカセット２３と言う。）に映像および音声を記録するビデオテープ記録部１３を有する。記録部４は、制御部２から指示された種類の記録媒体（ＤＶＤ２１、ハードディスク２２、カセット２３）に対して入力部３に入力されているＡＶ信号に基づく映像および音声を記録する。操作部５は、本体に対する入力操作を行うキーや、リモコン装置１０から送信されてきた本体に対する制御信号を受信するリモコン受信部５ａを有する。
【００１６】
また、制御部２には、ＤＶＤ２１、ハードディスク２２、カセット２３に対して設定されている優先順位を記憶するメモリ２ａが設けられている。この優先順位は、映像および音声をいずれかの記録媒体に記録しているときに、この記録媒体に対する映像および音声の記録が行えない記録不能状態になった場合に、映像および音声を継続して記録する記録媒体の選択に用られる。言い換えれば、制御部２は、映像および音声をいずれかの記録媒体に記録しているときに、この記録媒体に対する映像および音声の記録が行えない記録不能状態になると、メモリ２ａに記憶している優先順位に基づいて映像および音声を継続して記録する別の記録媒体を選択する。ユーザは、操作部５に設けられているキー操作や、リモコン装置１０の操作で、メモリ２ａに記憶されている各記録媒体の優先順位の更新や、映像および音声を記録する記録媒体の選択が行える。
【００１７】
ここで言う、記録不能状態とは、映像および音声を記録している記録媒体の空き容量が無くなった場合、映像および音声を記録している記録媒体が破損している場合、映像および音声を記録する記録媒体が本体にセットされていない場合、映像および音声を記録する記録媒体に対する記録部が故障している場合等である。制御部２は、映像および音声の記録時に、選択した記録媒体に対応する記録部（ＤＶＤ記録部１１、ハードディスク記録部１２、ビデオテープ記録部１３）が記録媒体（ＤＶＤ２１、ハードディスク２２、カセット２３）に映像および音声を記録しているかどうかを監視する、言い換えれば記録不能状態になったかどうかを監視する、機能を有している。
【００１８】
また、ユーザは、記録装置１に対して、映像および音声をいずれかの記録媒体に記録しているときに、この記録媒体に対する映像および音声の記録が行えない記録不能状態になった場合に、映像および音声を別の記録媒体に継続して記録するリレー動作を禁止するかどうかの設定も行える。
【００１９】
次に、この発明の実施形態である記録装置１の動作について説明する。図２は、この発明の実施形態である記録装置の動作を示すフローチャートである。記録装置１は、本体に対して何らかの入力があるか（ｓ１）、または予約機能による映像および音声の記録開始時間になるのを待っている（ｓ２）。記録装置１は、ｓ１で本体に対する入力があったと判定すると、その入力がメモリ２ａに記憶している記録媒体の優先順位の更新要求であれば、優先順位を更新する優先順位更新処理を行い（ｓ３、ｓ４）、ｓ１に戻る。
【００２０】
図３は、ｓ４にかかる優先順位更新処理を示すフローチャートである。光ディスク装置１は、優先順位を１位にする記録媒体の種類の入力を要求し（ｓ２１）、記録媒体の種別が入力されるのを待つ（ｓ２２）。ｓ２１では、該要求を、本体に設けられている表示部（不図示）に表示してもよいし、本体に接続されているテレビ受像機（不図示）等の画面に表示してもよい。ユーザは、操作部５に設けられているキー、またはリモコン装置１０を操作して、優先順位を１位にする記録媒体の種類を入力する。記録装置１は、優先順位を１位にする記録媒体の種類が入力されると、優先順位を２位にする記録媒体の種類の入力を要求し（ｓ２３）、記録媒体の種別が入力されるのを待つ（ｓ２４）。ｓ２３における要求もｓ２１と同様の方法で表示される。ユーザは、優先順位を２位にする記録媒体の種類を入力する。記録装置１は、優先順位を２位にする記録媒体の種類が入力されると、この時点で入力されていない種類の記録媒体を優先順位３位に決定する（ｓ２５）。ｓ２５では、例えば優先順位を１位にする記録媒体としてＤＶＤ２１が入力され、優先順位を２位にする記録媒体としてハードディスク２２が入力された場合、カセット２３を優先順位を３位にする記録媒体に決定する。
【００２１】
また、記録装置１は、映像および音声をいずれかの記録媒体に記録しているときに、この記録媒体に対する映像および音声の記録が行えない記録不能状態になった場合に、映像および音声を別の記録媒体に継続して記録するリレー動作を禁止するかどうかの設定入力を要求し（ｓ２６）、この要求に対する入力を待つ（ｓ２７）。ｓ２６における要求もｓ２１、ｓ２３と同様の方法で表示される。ユーザは、記録装置１に対して、リレー動作を禁止するかどうかを入力する。記録装置１は、リレー動作を禁止するかどうかをの入力が行われると、今回の入力に基づいて記録媒体の優先順位、およびリレー動作を禁止するかどうかの設定をメモリ４ａに記憶し（ｓ２８）、本処理を終了する。
【００２２】
このように、記録媒体の優先順位、およびリレー動作を禁止するかどうかについて、ユーザが自分の都合に合わせて設定することができる。
【００２３】
また、記録装置１は、本体に対する入力が映像および音声の予約記録にかかる予約情報の入力（所謂、録画予約情報の入力）にかかる要求であれば、予約情報を受け付け（ｓ５、６）、ここで受け付けた予約情報を記憶し（ｓ７）、ｓ１に戻る。上記予約情報には、映像および音声の記録開始時間、記録終了時間、映像および音声を記録する記録媒体の種類等が含まれている。
【００２４】
また、記録装置１は映像および音声の記録開始にかかる要求が入力された場合には、映像および音声を記録する記録媒体の種類を受け付け（ｓ８、ｓ９）、ここで受け付けた種類の記録媒体に映像および音声を記録する記録動作を開始し（ｓ１０）、ｓ１に戻る。また、ｓ２で予約機能による映像および音声の記録開始時間になったと判定した場合も、ｓ１０で記録動作を開始し、ｓ１に戻る。ｓ１０で開始される記録動作の詳細については後述する。
【００２５】
なお、記録装置１は、ｓ１で上記以外の要求にかかる入力があった場合には、入力された要求に応じた処理（その他の処理）を実行し（ｓ１１）、ｓ１に戻る。
【００２６】
ここで、ｓ１０で開始される記録動作について説明する。図４は、この発明の実施形態である記録装置における記録動作を示すフローチャートである。記録装置１は、映像および音声を記録する記録媒体の種類を選択する（ｓ３１）。ｓ３１では、今回実行する予約情報に含まれている記録媒体の種別、またはｓ９で受け付けた記録媒体の種別を選択する。記録装置１は、ｓ３１で選択した種類の記録媒体に対応する記録部に対して、入力部３に入力されているＡＶ信号に基づく映像および音声の記録開始を指示する（ｓ３２）。例えば、ｓ３１で選択した記録媒体がＤＶＤ２１であればＤＶＤ記録部１１に対して映像および音声の記録開始を指示する。これにより、今回記録開始が指示された記録部（ＤＶＤ記録部１１、ハードディスク記録部１２、ビデオテープ記録部１３）が、入力部３に入力されているＡＶ信号に基づく映像および音声の記録を開始する。
【００２７】
記録装置１は、映像および音声の記録開始を指示した記録部による記録媒体への映像および音声の記録が行えない記録不能状態になったかどうか、言い換えれば記録媒体への映像および音声の記録が行われているかどうか、の監視を開始する（ｓ３３）。記録装置１は、記録不能状態になるか、記録終了タイミングになるのを待つ（ｓ３４、ｓ３５）。記録装置１は、ｓ３４で記録不能状態になったと判定すると、リレー動作が禁止されているかどうかを判定し（ｓ３６）、禁止されていれば、記録部４における映像および音声を記録媒体に記録する動作を停止し（ｓ４０）、本処理を終了する。一方、記録装置１は、ｓ３６でリレー動作が禁止されていないと判定すると、今回記録不能状態となった記録媒体の優先順位が最下位であるかどうかを判定する（ｓ３７）。記録装置１は、ｓ３７で最下位であると判定すると、ｓ４０で記録部４における映像および音声を記録媒体に記録する動作を停止し、本処理を終了する。
【００２８】
一方、記録装置１はｓ３７で最下位でないと判定すると、優先順位が１ランク下の記録媒体を選択する（ｓ３８）。記録装置１は、ｓ３８で選択した種類の記録媒体に対応する映像および音声を記録する記録部に対して、入力部３に入力されているＡＶ信号に基づく映像および音声の記録開始を指示し（ｓ３９）、ｓ３３に戻る。例えば、メモリ２ａに設定されている順位が、１位ＤＶＤ２１、２位ハードディスク２２、３位（最下位）カセット２３である場合、記録不能状態になった記録媒体がＤＶＤ２１であればｓ３８でハードディスク２２を選択し、記録不能状態になった記録媒体がハードディスク２２であればｓ３８でカセット２３を選択し、記録不能状態になった記録媒体がカセット２３であればｓ４０で記録部４における映像および音声を記録媒体に記録する動作を停止し、本処理を終了する。
【００２９】
また、記録装置１は、ｓ３５で記録終了タイミングになったと判定すると、この時点で映像および音声を記録媒体に記録している記録部に対して、映像および音声を記録媒体に記録する動作を停止し（ｓ４０）、本処理を終了する。ｓ３５では、本体に対して記録終了にかかる入力が行われた場合、または予約情報における記録終了時間になった場合に、記録終了タイミングであると判定する。
【００３０】
このように、この実施形態の記録装置１は、映像および音声を記録媒体に記録しているときに、この記録媒体に対する映像および音声の記録が行えない記録不能状態になった場合には、映像および音声を別の記録媒体に記録するリレー動作を行うので、入力されているＡＶ信号に基づく映像および音声が途切れることなく記録できる。また、映像を継続して記録する記録媒体をユーザが任意に設定できるので、ユーザの使い勝手を向上させることができる。また、このリレー動作を禁止することもでき、ユーザの使い勝手の一層の向上が図れる。さらに、映像を記録している記録媒体が記録不能状態になったときに、継続して映像を記録するのに使用したくない種類の記録媒体については、その優先順位を高くしておくことで、リレー動作でこの種類の記録媒体に映像が記録されるのを防止できる。
【００３１】
なお、上記実施形態では、ＤＶＤ２１、ハードディスク２２、カセット２３の３種類の記録媒体に対して映像および音声を記録する記録部（ＤＶＤ記録部１１、ハードディスク記録部１２、ビデオテープ記録部１３）を例にして本願発明を説明したが、これに限定されることなく、３種類以上の記録媒体について、記録媒体の種類毎に映像および音声を記録する記録部を有する記録装置であれば、本願発明を適用することができる。
【図面の簡単な説明】
【００３２】
【図１】この発明の実施形態である記録装置の主要部の構成を示すブロック図である。
【図２】この発明の実施形態である記録装置の動作を示すフローチャートである。
【図３】この発明の実施形態である記録装置における優先順位更新処理を示すフローチャートである。
【図４】この発明の実施形態である記録装置における記録動作を示すフローチャートである。
【符号の説明】
【００３３】
１−記録装置
２−制御部
２ａ−メモリ
３−入力部
４−記録部
５−操作部
５ａ−リモコン受信部
１０−リモコン装置
１１−ＤＶＤ記録部
１２−ハードディスク記録部
１３−ビデオテープ記録部
２１−ＤＶＤ
２２−ハードディスク
２３−、ビデオカセットテープ
【図１】
2006134439.tif 000003
【図２】
2006134439.tif 000004
【図３】
2006134439.tif 000005
【図４】
2006134439.tif 000006